(57)【要約】      （修正有）【課題】ケース本体に取り付けた開閉カバーを、ケース本体の背面側で開閉する構成を採用し、開閉カバーに、スタンドしての機能を発揮させたり、カード類や紙片を入れたりするポケットを設けることができる携帯端末ケースを提供する。【解決手段】ケース本体１０に開閉カバー２０を取り付ける。開姿勢の開閉カバーに、縦置き又は横置きの起立姿勢のケース本体１０の背方への倒れ込みを防ぐスタンドとしての機能を付与する。開閉カバー２０の１つの端縁部をケース本体１０の１つの辺部１２に折れ曲がり可能に連設し、その折れ曲がり可能な端縁部によって、開閉カバー２０を開閉揺動させるためのヒンジ部２１を構成する。ケース本体１０の背面や開閉カバー２０の背面にポケットを設ける。【選択図】図３
0003204550.tif 000002
【実用新案登録請求の範囲】
【請求項１】
携帯端末の背面に重なり状に装着される矩形状のケース本体を備える携帯端末ケースであって、
上記ケース本体に、そのケース本体の背面に重なり合う閉姿勢とそのケース本体の背面から離れる開姿勢との間で揺動可能に矩形板状の開閉カバーが取り付けられていると共に、開姿勢の上記開閉カバーに、起立姿勢の上記ケース本体の背方への倒れ込みを防ぐスタンドとしての機能が付与されていることを特徴とする携帯端末ケース。
【請求項２】
上記開閉カバーは、その１つの端縁部が上記ケース本体の１つの辺部に折れ曲がり可能に連設されて、その折れ曲がり可能な上記端縁部が当該開閉カバーを開閉揺動させるためのヒンジ部として構成されている請求項１に記載した携帯端末ケース。
【請求項３】
上記ケース本体の背面にカード類を抜き差し可能なポケットが具備され、そのポケットに差し込まれたカード類が、閉姿勢の上記開閉カバーによって覆われるように構成されている請求項１又は請求項２に記載した携帯端末ケース。
【請求項４】
上記開閉カバーにおけるケース本体との重なり面側にカード類を収容可能なポケットが具備されている請求項１ないし請求項３のいずれか１項に記載した携帯端末ケース。
【請求項５】
上記ヒンジ部を構成している開閉カバーの１つの上記端縁部に隣接する他の端縁部における上記ヒンジ部との近接箇所にストラップ吊下げ孔を有する突片部が設けられ、かつ、上記他の端縁部が、それに対応する上記ケース本体の辺部から突き出さない箇所に位置していることによって、上記開閉カバーにスタンドとしての機能を発揮させるときに上記突片部がケース本体の上記辺部から突き出さないように構成されていることを特徴とする請求項１ないし請求項４のいずれか１項に記載した携帯端末ケース。
【請求項６】
上記開閉カバーを閉姿勢に保つ開閉カバー固定手段を備える請求項１ないし請求項５のいずれか１項に記載した携帯端末ケース。
【考案の詳細な説明】
【技術分野】
【０００１】
本考案は、携帯端末の背面に重なり状に装着される矩形状のケース本体を備える携帯端末ケースに関する。
【背景技術】
【０００２】
図６はこの種の従来の携帯端末ケースの一例を示した平面図である。この携帯端末ケースは、縁枠２を有する矩形状のケース本体１を備えていて、縁枠２を偏平な携帯端末（不図示）に嵌着させることによってその携帯端末に装着される。そして、装着状態では、矩形状のケース本体１が携帯端末の背面に重なっているのに対して、携帯端末の表面全体がケース本体の前側に露出した状態になっている。また、ケース本体１の１つの辺部３に折れ曲がり可能なヒンジ部４を介して矩形の開閉カバー５が連接されている。この開閉カバー５は、ケース本体１と略同一のサイズを有している。そのため、ヒンジ部４を利用して閉じると、ケース本体１に装着されている携帯端末の表面全体がその開閉カバー５によって覆い隠される。すなわち、図６に示した従来例の携帯端末ケースでは、開閉カバー５がケース本体１の表側に向けて閉じられるようになっている。さらに、同図の携帯端末では、開閉カバー５の裏面側に、名刺やクレジットカード、その他のカードといったカード類（不図示）を抜き差し可能なポケット６が設けられていたり、伝票やメモ書きなどの紙片などを収容可能なポケット７が設けられていたりする。なお、８は開閉カバー５を閉じた状態に保持するための開閉カバー固定手段であり、たとえば、磁石を内蔵する小片によって形成され、開閉カバー５を閉じたときに、その小片がケース本体１側に設けた吸着片９に吸着して開閉カバー５を閉状態に保つ。
【０００３】
この携帯端末ケースによると、カード類や紙片などを開閉カバー５の裏面側に設けられているポケット６，７に収容するようになっていることにより、携帯端末に装着した携帯端末ケースを開閉カバー５を閉じて衣類のポケットなどに対して出し入れするときに、カード類や紙片が衣類などに擦れて抜け落ちるという事態が生じにくいという利点がある。
【０００４】
一方、先行例では、携帯端末ケースにスタンドとしての機能を付与したものが提案されている（たとえば、特許文献１、特許文献２）。そして、特許文献１には、長方形形状のカバーケースの裏面側に、そのカバーケースを起立状態に支持するスタンドを設けることが記載されている。また、特許文献２には、携帯情報端末機に取着されるケース本体部に、互いに連接された折れ曲がり可能な板部を具備させ、その板部を折り曲げてケース本体部を支えるようにすることが記載されている。
【先行技術文献】
【特許文献】
【０００５】
【特許文献１】実用新案登録３１７０７４３号公報
【特許文献２】特開２０１４−１０７６５４号公報
【考案の概要】
【考案が解決しようとする課題】
【０００６】
上記した従来例による携帯端末ケースは、携帯端末が装着されたケース本体を自立させることができなかったため、携帯端末を縦置き又は横置きの姿勢にして使いたいときには、スタンドを別途用意したり、携帯端末が装着されたケース本体を何かに立て掛けねばならない、といった不便や煩わしさがあった。
【０００７】
また、先行例の特許文献１のものでは、カバーケースに縦置き又は横置きに用いる専用のスタンドを設けておく必要があり、特許文献２のものでは、ケース本体部に縦置き又は横置きに用いる専用の板部を設けておく必要があるので、それだけ全体構成が複雑になるという問題があっただけでなく、カード類や紙片を入れるための収容スペースを具備させることが困難でもあった。
【０００８】
本考案は以上の状況に鑑みてなされたものであり、携帯端末に装着されるケース本体に取り付けた開閉カバーを、ケース本体の背面側で開閉するという新たな着想に基づき、その開閉カバーに、スタンドしての機能を発揮させたり、カード類や紙片を入れたりするポケットを設けることができるようにした携帯端末ケースを提供することを目的としている。
【課題を解決するための手段】
【０００９】
本考案に係る携帯端末ケースは、携帯端末の背面に重なり状に装着される矩形状のケース本体を備える。そして、上記ケース本体に、そのケース本体の背面に重なり合う閉姿勢とそのケース本体の背面から離れる開姿勢との間で揺動可能に矩形板状の開閉カバーが取り付けられていると共に、開姿勢の上記開閉カバーに、起立姿勢の上記ケース本体の背方への倒れ込みを防ぐスタンドとしての機能が付与されている、というものである。
【００１０】
この構成を備える携帯端末によると、開姿勢の開閉カバーによるスタンドしての機能により、起立姿勢のケース本体の背方への倒れ込みが防止されるため、ケース本体を装着した携帯端末を横置きあるいは縦置きの姿勢にして使用することが可能になる。
【００１１】
本考案において、上記開閉カバーは、その１つの端縁部が上記ケース本体の１つの辺部に折れ曲がり可能に連設されて、その折れ曲がり可能な上記端縁部が当該開閉カバーを開閉揺動させるためのヒンジ部として構成されていることが望ましい。この構成であると、開閉カバーの１つの端縁部がケース本体の１つの辺部に折れ曲がり可能に連設されていることにより、開閉カバーを開姿勢にしたときでもその開閉カバーの姿勢が安定し、その結果、起立姿勢のケース本体の背方への倒れ込みが確実に防止される。
【００１２】
本考案では、 上記ケース本体の背面にカード類を抜き差し可能なポケットが具備され、そのポケットに差し込まれたカード類が、閉姿勢の上記開閉カバーによって覆われるように構成されている、というものであってもよい。この構成を採用することにより、ケース本体の背面のポケットに入れたカード類や紙片が閉姿勢の開閉カバーによって覆い隠されるので、携帯端末に装着した携帯端末ケースを衣類のポケットなどに対して出し入れするときに、カード類や紙片が衣類などに擦れて抜け落ちるという事態が生じにくくなる。
【００１３】
本考案では、上記開閉カバーにおけるケース本体との重なり面側にカード類を収容可能なポケットが具備されている、という構成を採用することも可能である。この構成を備えていると、開閉カバーのポケットに入れたカード類や紙片が、開閉カバーを閉じたときにケース本体によって覆い隠されるので、携帯端末に装着した携帯端末ケースを衣類のポケットなどに対して出し入れするときに、カード類や紙片が衣類などに擦れて抜け落ちるという事態が生じにくくなる。
【００１４】
本考案では、上記ヒンジ部を構成している開閉カバーの１つの上記端縁部に隣接する他の端縁部における上記ヒンジ部との近接箇所にストラップ吊下げ孔を有する突片部が設けられ、かつ、上記他の端縁部が、それに対応する上記ケース本体の辺部から突き出さない箇所に位置していることによって、上記開閉カバーにスタンドとしての機能を発揮させるときに上記突片部がケース本体の上記辺部から突き出さないように構成されている、という構成を採用することが可能である。この構成であると、携帯端末ケースにストラップを吊り下げることが可能になるにもかかわらず、その吊下げ箇所である上記突片部が、携帯端末を起立姿勢で使用するときにじゃまにならない。
【００１５】
本考案では、上記開閉カバーを閉姿勢に保つ開閉カバー固定手段を備えることが望ましい。これによると、開閉カバー固定手段の作用によって開閉カバーの閉姿勢が保たれるので、開閉カバーが不慮に開いてしまうことがなくなる。
【考案の効果】
【００１６】
以上のように、本考案に係る携帯端末ケースは、ケース本体に取り付けた開閉カバーをケース本体の背面側で開閉するという新たな着想に基づくものであり、開閉カバーにスタンドしての機能を発揮させて携帯端末を横置き又は縦置きの起立姿勢で使用することが可能になる。そのため、ケース本体に専用のスタンドを設けたりする必要がなくなるので、全体の構成が複雑になることはない。また、ケース本体や開閉カバーにポケットを設けてカード類や紙片を入れたりすることができるようになるほか、携帯端末に装着した携帯端末ケースを衣類のポケットなどに対して出し入れするときに、カード類や紙片が衣類などに擦れて抜け落ちるという事態を生じにくくすることも可能になる。
【図面の簡単な説明】
【００１７】
【図１】本考案の実施形態に係る携帯端末ケースの開閉カバーを閉じた状態の背面図である。
【図２】同携帯端末ケースの開閉カバーを開いた状態の背面図である。
【図３】縦置き使用状態の概略斜視図である。
【図４】縦置き使用状態の側面図である。
【図５】横置き使用状態の側面図である。
【図６】従来の携帯端末ケースの一例を示した平面図である。
【考案を実施するための形態】
【００１８】
図１は本考案の実施形態に係る携帯端末ケースの開閉カバーを閉じた状態の背面図、図２は同携帯端末ケースの開閉カバーを開いた状態の背面図、図３は縦置き使用状態の概略斜視図、図４は縦置き使用状態の側面図、図５は横置き使用状態の側面図である。
【００１９】
図１及び図２に示した携帯端末ケースは、矩形状のケース本体１０を備えている。図３に示されているように、ケース本体１０は、縁枠１１を備えていて、その縁枠１１を矩形状の偏平な携帯端末Ｓに嵌着させることによってケース本体１０がその携帯端末Ｓに装着される。そして、装着状態では、矩形状のケース本体１０が携帯端末Ｓの背面に重なっているのに対して、携帯端末Ｓの表面全体がケース本体の前側に露出した状態になっている。言い換えると、携帯端末Ｓの表示部Ｌが前側に露出していて、使用者はその表示部Ｌにタッチすることによって携帯端末Ｓの機能を利用することができるようになっている。
【００２０】
ケース本体１０の１つの辺部１２に開閉カバー２０の１つの端縁部が折れ曲がり可能に連接されていて、その折れ曲がり可能な上記端縁部が当該開閉カバー２０を開閉揺動させるためのヒンジ部２１として構成されている。この開閉カバー２０は、ヒンジ部２１の可撓性を活用することによって、ケース本体１０の背面に重なり合う閉姿勢（図１）と、そのケース本体１０の背面から離れる開姿勢（図２）との間で揺動させることが可能である。
【００２１】
図１に示したように、開閉カバー２０は、その縦長さがケース本体１０の背面の縦長さよりも短く、しかも、閉姿勢の開閉カバー２０の上辺部１３や下辺部１４が、ケース本体１０の上側の端縁部２２や下側の端縁部２３から突き出さない箇所に位置している。そして、ケース本体１０に設けられている開口窓１５が、ケース本体１０の上側の端縁部２２と開閉カバー２０の上辺部１３との間に位置していると共に、その開口窓１５に、携帯端末Ｓ側のレンズａや音口ｂなどが臨んでいる。
【００２２】
開閉カバー２０の下側の端縁部２３には、ストラップ吊下げ孔３１を有する突片部３０が設けられている。この突片部３０は、開閉カバーの１つの端縁部、すなわち上記ヒンジ部２１にできるだけ近接して設けられていて、しかも、ケース本体１０の下側の端縁部２３から突き出さない位置に設けられている。
【００２３】
この実施形態において、開姿勢の開閉カバー２０には、起立姿勢のケース本体１０の背方への倒れ込みを防ぐスタンドとしての機能が付与されている。すなわち、図４のように、開閉カバー２０を、所望の角度だけ開いてその自由端側のコーナー部をテーブルなどの上面Ｔに置くと、その上面Ｔで縦置き起立姿勢にしたケース本体１０が開閉カバー２０によって支えられて背方への倒れ込みが防止される。そして、このときには、突片部３０がテーブルなどの上面Ｔに当たらない箇所に位置するので、その突片部３０がじゃまにならない。これは、突片部３０が、開閉カバーの１つの端縁部２１にできるだけ近接して設けられていることによる。縦置き起立姿勢のケース本体１０の背方への倒れ込みを防ぐというスタンドとしての機能は、開閉カバー２０の開き角度を９０度に近い角度に定めることによって安定して発揮される。これに対し、図５のように、開閉カバー２０を、所望の角度だけ開いてその自由端をテーブルなどの上面Ｔに置くと、その上面Ｔで横置き起立姿勢にしたケース本体１０が開閉カバー２０によって支えられて背方への倒れ込みが防止される。横置き起立姿勢のケース本体１０の背方への倒れ込みを防ぐというスタンドとしての機能は、開閉カバー２０の開き角度を９０度に近い角度に定めることによって安定して発揮される。
【００２４】
次に、図２に示したように、ケース本体１０の背面にカード類（不図示）を抜き差し可能なポケット４１が具備されている。このポケット４１に差し込まれたカード類は、図１のように開閉カバー２０を閉じて閉姿勢にすると、その開閉カバー２０によって覆い隠される。また、開閉カバー２０におけるケース本体１０との重なり面側にも、カード類を収容可能なポケット４２が具備されている。このポケット４２に入れたカード類や紙片なども、図１のように開閉カバー２０を閉じて閉姿勢にすると、その開閉カバー２０によって覆い隠される。したがって、ケース本体１０の背面のポケット４１に入れたカード類や紙片、開閉カバー２０側のポケット４２に入れたカード類や紙片などは、開閉カバー２０を閉じて携帯端末ケースを衣類のポケットなどに対して出し入れするときに、それらが衣類などと擦れて抜け落ちるという事態は生じない。
【００２５】
この実施形態においては、図２に示したように、ケース本体１０には、ホック５１を備えた舌片５０が設けられているのに対し、開閉カバー２０側には、上記ホック５１の相手側要素としてのホック受け５２が設けられている。そして、図１のように開閉カバー２０を閉じ、舌片５０を開閉カバー２０に重ねて図１のホック５１をホック受け５２に嵌着させると、開閉カバー２０が閉姿勢に保持される。これらのホック５１を備えた舌片５０やホック受け５２は、開閉カバー２０を閉じた閉姿勢に保持するための開閉カバー固定手段の一例である。この開閉カバー固定手段としては、たとえば、開閉カバー２０側に磁石を内蔵させ、開閉カバー５を閉じたときに、その磁石がケース本体１側に設けた吸着片に吸着するようなものであってもよい。
【００２６】
以上説明した実施形態では、開閉カバー２０の長辺側の端縁部を矩形状のケース本体の長辺側の辺部１２にヒンジ部２１を介して連接してあるけれども、この点は、開閉カバー２０の短辺側の端縁部を矩形状のケース本体の短辺側の辺部にヒンジ部を介して連接しておいてもよい。
【符号の説明】
【００２７】
Ｓ  携帯端末
１０  ケース本体
１２  ケース本体の１つの辺部
２０  開閉カバー
２１  ヒンジ部
３０  突片部
３１  ストラップ吊下げ孔
４１，４２  ポケット
５０  舌片（開閉カバー固定手段）
５１  ホック（開閉カバー固定手段）
５２  ホック受け（開閉カバー固定手段）
【図１】
0003204550.tif 000003
【図２】
0003204550.tif 000004
【図３】
0003204550.tif 000005
【図４】
0003204550.tif 000006
【図５】
0003204550.tif 000007
【図６】
0003204550.tif 000008